(57)【特許請求の範囲】
【請求項１】
ネットワークを利用してサーバ装置から携帯端末へコンテンツを配信するコンテンツ配信システムであって、前記携帯端末は、前記携帯端末を所持するユーザが希望するコンテンツのジャンル、前記ユーザが利用する乗車駅及び乗車駅までの移動速度が少なくとも記されたユーザ情報を含む配信準備要求を前記サーバ装置へ送信する配信準備要求手段と、前記携帯端末の現在地に係る位置情報を含むコンテンツ配信要求を前記サーバ装置へ送信する処理を前記サーバ装置からコンテンツが配信されるまで一定間隔で行い、前記サーバ装置から配信されたコンテンツをメモリにダウンロードするダウンロード手段を備え、前記サーバ装置は、前記配信準備要求を携帯端末から受信すると、前記配信準備要求に含まれる前記ユーザ情報のジャンルに対応するコンテンツの一覧を記したコンテンツリストを作成した後、作成した前記コンテンツリストに含まれるコンテンツの総容量から該コンテンツのダウンロード時間を求め、前記ユーザ情報の移動速度と該ダウンロード時間を乗算することで配信開始距離を算出する配信準備手段と、前記コンテンツ配信要求を前記携帯端末から受信すると、前記コンテンツ配信要求に含まれる位置情報と前記ユーザ情報の乗車駅の位置情報から得られる距離が前記配信開始距離になると、前記コンテンツリストに含まれるコンテンツを前記携帯端末へ送信する配信手段を備えていることを特徴とするコンテンツ配信システム。
【請求項２】
前記ユーザ情報には、前記ユーザが列車を利用する曜日・時間帯が記され、前記サーバ装置の前記配信準備手段は、前記ユーザ情報の曜日・時間帯から列車の混み具合を判定するルールを記憶し、前記ユーザ情報の曜日・時間帯に基づく判定結果により、前記携帯端末へ送信するコンテンツの種類を決定することを特徴とする、請求項１に記載のコンテンツ配信システム。
【請求項３】
ネットワークを利用してサーバ装置から携帯端末へコンテンツを配信するコンテンツ配信方法であって、前記携帯端末が、前記携帯端末を所持するユーザが希望するコンテンツのジャンル、前記ユーザが利用する乗車駅及び乗車駅までの移動速度が少なくとも記されたユーザ情報を含む配信準備要求を前記サーバ装置へ送信し、前記サーバ装置が、前記配信準備要求に含まれる前記ユーザ情報のジャンルに対応するコンテンツの一覧を記したコンテンツリストを作成した後、作成した前記コンテンツリストに含まれるコンテンツの総容量から該コンテンツのダウンロード時間を求め、前記ユーザ情報の移動速度と該ダウンロード時間を乗算することで配信開始距離を算出する配信準備工程と、前記携帯端末が、前記携帯端末の現在地に係る位置情報を含むコンテンツ配信要求を前記サーバ装置へ送信し、前記サーバ装置が、前記コンテンツ配信要求に含まれる位置情報と前記ユーザ情報の乗車駅の位置情報から得られる距離が前記配信開始距離になると、前記コンテンツリストに含まれるコンテンツを前記携帯端末へ配信し、前記携帯端末が、前記サーバ装置から配信されたコンテンツをメモリにダウンロードするコンテンツ配信工程が実行されることを特徴とするコンテンツ配信方法。
【発明の詳細な説明】
【技術分野】
【０００１】
利用者が電車やバスなどの交通機関を利用する際、駅入場から退場までの乗車時間、交通機関を利用する時間帯、個人の趣向などに合わせた最適なコンテンツを配信するための技術に関する。
【背景技術】
【０００２】
様々なアプリケーションをダウンロードできるスマートフォンなどの携帯端末が普及し、携帯端末を所持するユーザは、携帯端末にダウンロードされているアプリケーションを利用して、インターネット上で公開されているコンテンツを閲覧できるようになった。
【０００３】
携帯端末を利用してインターネット上のコンテンツを閲覧する手法として、携帯端末に実装されるアプリケーションの一つであるウェブブラウザを用い、ユーザが所望するコンテンツを検索する手法もあるが、ユーザが地下鉄を利用して通勤する場合、地下鉄の路線内では電波が届かないため、設定された更新頻度（例えば、１５分間隔）で所定のウェブサイトにアクセスし、該ウェブサイトで提供されているコンテンツ（例えば、ＲＳＳフィード）を携帯端末にダウンロードするアプリケーション（例えば、ＲＳＳリーダ）を用いる手法もある。
【０００４】
携帯端末にダウンロードするコンテンツがＲＳＳフィードのようなテキストの場合、該コンテンツの容量は小さく、例えば、電車の待ち時間でも全てのコンテンツをダウンロードすることが可能であるが、携帯端末にダウンロードするコンテンツが音声や動画の場合、該コンテンツの容量は大きくなり、地下鉄に乗車する直前で、コンテンツのダウンロードを開始しても、全てのコンテンツを携帯端末にダウンロードできなくなってしまう。
【０００５】
外出前に予め自宅で、音声や動画などのコンテンツを携帯端末にダウンロードしておくことも考えられるが、コンテンツがニュースや列車の運行情報などリアルタイム性が要求されるコンテンツの場合、できる限り最新のコンテンツをユーザがダウンロードしたい要望もあるため、ユーザが駅に向かう際の空き時間を利用して、コンテンツを携帯端末にダウンロードできるようにすることが望ましい。
【０００６】
ユーザの空き時間にコンテンツを携帯端末に配信する発明とて、例えば、特許文献１において、利用者の空き時間に係る情報をサーバへ送信し、サーバからコンテンツを受信する携帯端末と、コンテンツとコンテンツの再現時間とを関連付けて管理し、携帯端末から受信した情報から得られた空き時間に適合する再現時間に関連付けられたコンテンツを携帯端末へ送信するサーバとから少なくとも構成されるコンテンツ配信システムが開示されている。
【先行技術文献】
【特許文献】
【０００７】
【特許文献１】特開２００６―４００４８号公報
【発明の概要】
【発明が解決しようとする課題】
【０００８】
しかし、特許文献１で開示されている発明では、サーバから携帯端末へ配信するコンテンツは、携帯端末を所持するユーザの空き時間に対応したコンテンツであってユーザに対応したコンテンツではない。
【０００９】
そこで、本発明は、携帯端末を所持するユーザが自宅を出てから列車に乗車するまでの空き時間を利用して、ユーザに対応するコンテンツを、該コンテンツ全てをダウンロードできるようなタイミングで携帯端末に配信できるシステム及び方法を提供することを目的とする。
【課題を解決するための手段】
【００１０】
上述した課題を解決する第１の発明は、ネットワークを利用してサーバ装置から携帯端末へコンテンツを配信するコンテンツ配信システムであって、前記携帯端末は、前記携帯端末を所持するユーザが希望するコンテンツのジャンル、前記ユーザが利用する乗車駅及び乗車駅までの移動速度が少なくとも記されたユーザ情報を含む配信準備要求を前記サーバ装置へ送信する配信準備要求手段と、前記携帯端末の現在地に係る位置情報を含むコンテンツ配信要求を前記サーバ装置へ送信する処理を前記サーバ装置からコンテンツが配信されるまで行い、前記サーバ装置から配信されたコンテンツをメモリにダウンロードするダウンロード手段を備え、前記サーバ装置は、前記配信準備要求を携帯端末から受信すると、前記配信準備要求に含まれる前記ユーザ情報のジャンルに対応するコンテンツの一覧を記したコンテンツリストを作成した後、作成した前記コンテンツリストに含まれるコンテンツの総容量から該コンテンツのダウンロード時間を求め、前記ユーザ情報の移動速度と該ダウンロード時間を乗算することで配信開始距離を算出する配信準備手段と、前記コンテンツ配信要求を前記携帯端末から受信すると、前記コンテンツ配信要求に含まれる位置情報と前記ユーザ情報の乗車駅の位置情報から得られる距離が前記配信開始距離になると、前記コンテンツリストに含まれるコンテンツを前記携帯端末へ送信する配信手段を備えていることを特徴とするコンテンツ配信システムである。
【００１１】
第１の発明において、前記ユーザ情報には、前記ユーザが列車を利用する曜日・時間帯が記され、前記サーバ装置の前記配信準備手段は、前記ユーザ情報の曜日・時間帯から列車の混み具合を判定するルールを記憶し、前記ユーザ情報の曜日・時間帯に基づく判定結果により、前記携帯端末へ送信するコンテンツの種類を決定することを特徴とすることが望ましい。
【００１２】
更に、第２の発明は、ネットワークを利用してサーバ装置から携帯端末へコンテンツを配信するコンテンツ配信方法であって、前記携帯端末が、前記携帯端末を所持するユーザが希望するコンテンツのジャンル、前記ユーザが利用する乗車駅及び乗車駅までの移動速度が少なくとも記されたユーザ情報を含む配信準備要求を前記サーバ装置へ送信し、前記サーバ装置が、前記配信準備要求に含まれる前記ユーザ情報のジャンルに対応するコンテンツの一覧を記したコンテンツリストを作成した後、作成した前記コンテンツリストに含まれるコンテンツの総容量から該コンテンツのダウンロード時間を求め、前記ユーザ情報の移動速度と該ダウンロード時間を乗算することで配信開始距離を算出する配信準備工程と、前記携帯端末が、前記携帯端末の現在地に係る位置情報を含むコンテンツ配信要求を前記サーバ装置へ送信し、前記サーバ装置が、前記コンテンツ配信要求に含まれる位置情報と前記ユーザ情報の乗車駅の位置情報から得られる距離が前記配信開始距離になると、前記コンテンツリストに含まれるコンテンツを前記携帯端末へ配信し、前記携帯端末が、前記サーバ装置から配信されたコンテンツをメモリにダウンロードするコンテンツ配信工程が実行されることを特徴とするコンテンツ配信方法である。
【発明の効果】
【００１３】
上述した本発明によれば、携帯端末を所持するユーザが自宅を出てから列車に乗車するまでの空き時間を利用して、ユーザに対応するコンテンツを、該コンテンツ全てをダウンロードできるようなタイミングで携帯端末に配信できるシステム及び方法を提供できる。
【図面の簡単な説明】
【００１４】
【図１】コンテンツ配信システムを説明する図。
【図２】携帯端末に備えられた機能を説明する図。
【図３】ユーザ設定画面のフォーマットの一例。
【図４】サーバ装置に備えられた機能を説明する図。
【図５】コンテンツ配信システムの動作を説明するフロー図。
【発明を実施するための形態】
【００１５】
ここから，本発明の実施形態について，本発明の技術分野に係わる当業者が，発明の内容を理解し，発明を実施できる程度に説明する。なお、これから説明する実施形態は本発明の一実施形態にしか過ぎず、本発明は，これから説明する実施形態に限定されることなく、種々の変形や変更が可能である。
【００１６】
図１は、本実施形態に係るコンテンツ配信システム１を説明する図である。本実施形態に係るコンテンツ配信システム１は、ユーザ５が所持する携帯端末２と、携帯端末２に対してコンテンツを配信するサーバ装置３とから少なくとも構成され、ネットワーク４を利用してサーバ装置３から携帯端末２へコンテンツを配信するシステムである。
【００１７】
本実施形態に係るコンテンツ配信システム１において、ユーザ５に対応するコンテンツをサーバ装置３が配信できるように、コンテンツが配信される前に、ユーザ５が希望するコンテンツのジャンル、ユーザ５が利用する乗車駅６ｂ及び自宅６ａから乗車駅６ｂまでの移動速度が少なくとも記されたユーザ情報が携帯端末２からサーバ装置３へ送信される。
【００１８】
サーバ装置３は、携帯端末２へ配信するコンテンツとして、ユーザ情報のジャンルに対応したコンテンツを選択した後、携帯端末２に配信するコンテンツの総容量から、コンテンツをダウンロードするために必要なダウンロード時間を求め、ユーザ情報の移動速度を該ダウンロード時間に乗算することで、ダウンロード時間内にユーザ５が移動する距離で、コンテンツの配信に利用する配信開始距離を算出しておく。
【００１９】
ユーザ情報をサーバ装置３へ送信した後、携帯端末２は、携帯端末２の現在地に係る位置情報をサーバ装置３に送信することで、サーバ装置３に対してコンテンツの配信要求を行い、サーバ装置３は、ユーザ５が利用する乗車駅６ｂの位置情報と携帯端末２から送信された位置情報が配信開始距離になると、ユーザ情報のジャンルに対応したコンテンツを所定の場所から取得して、携帯端末２にコンテンツを配信する。
【００２０】
このように、図１で図示したコンテンツ配信システム１によれば、携帯端末２を所持するユーザ５が自宅６ａを出てから乗車駅６ｂに到達するまで間に、ユーザ情報のジャンルに対応したコンテンツが携帯端末２に配信されるため、携帯端末２を所持するユーザ５が自宅６ａを出てから列車に乗車するまでの空き時間を利用して、携帯端末２にコンテンツをダウンロードできるようになる。また、コンテンツの配信に利用される配信開始距離は、携帯端末２に送信するコンテンツの総容量に基づき算出されるため、全てのコンテンツを携帯端末２にダウンロードできなくなってしまうことはなくなる。
【００２１】
まず、図１で図示したコンテンツ配信システム１を構成する携帯端末２について説明する。本発明において携帯端末２とは、ＣＰＵ，ＲＡＭ，ＲＯＭなどが実装されたアプリケーションプロセッサ，無線通信する無線通信回路，メモリ、ディスプレイ、音声出力回路及び操作パネルなどが実装された装置で、携帯端末２としては、スマートフォンや携帯電話などを利用できる。
【００２２】
図２は、携帯端末２に備えられた機能を説明する図である。携帯端末２には、コンテンツの配信を受けるためのアプリケーションがダウンロードされており、このアプリケーションによって携帯端末２には、図２に図示したように、無線基地局を介してネットワーク通信するための無線通信手段２０と、ユーザ５が希望するコンテンツのジャンル、ユーザ５が利用する乗車駅６ｂ、ユーザ５が自宅６ａから乗車駅６ｂに移動する際の移動速度等の様々な項目をユーザ５に設定させ、ユーザ５が設定した内容をユーザ情報として取得し、ユーザ情報を含む配信準備要求をサーバ装置３へ送信する配信準備要求手段２１と、携帯端末２の現在地に係る位置情報を含むコンテンツ配信要求をサーバ装置３へ送信する処理をサーバ装置３からコンテンツが配信されるまで行い、サーバ装置３から配信されたコンテンツをメモリにダウンロードするダウンロード手段２２と、メモリに記憶されているコンテンツを再生する再生手段２３が備えられることになる。
【００２３】
携帯端末２の無線通信手段２０は、携帯端末２として利用されている装置に備えられている無線通信回路を利用して実現される手段で、サーバ装置３とネットワーク通信するために設けられる。
【００２４】
また、携帯端末２の配信準備要求手段２１は、ユーザ５に係る様々な項目を設定する操作が携帯端末２上にてなされると、ユーザ５に係る様々な項目を設定するためユーザ設定画面をディスプレイに表示し、携帯端末２の操作パネルを利用してユーザ設定画面に設定された内容をユーザ情報として取得し、携帯端末２の無線通信手段２０を利用して、ユーザ情報を含む配信準備要求をサーバ装置３へ送信する手段である。
【００２５】
図３は、ユーザ設定画面のフォーマットの一例である。図３で図示したユーザ設定画面７には、ユーザ５の乗車ルートとして乗車駅６ｂ、降車駅６ｃ及び経由駅６ｄを設定するフォーム７ａから７ｃと、自宅６ａから乗車駅６ｂまでの移動速度を設定するフォーム７ｄと、コンテンツを配信する曜日及び時間帯を設定するフォーム７ｅと７ｆと、配信するコンテンツのジャンルを設定するフォーム７ｇが含まれ、更に、ユーザ設定画面７の設定を完了するボタン７ｈと、ユーザ設定画面７の設定をキャンセルするボタン７ｉが含まれている。なお、自宅６ａから乗車駅６ｂまでの移動速度は、移動速度の値を設定するようにしてもよいが、自宅６ａから乗車駅６ｂまでの移動手段（徒歩、バス等）を選択させるようにすることもできる。
【００２６】
ボタン７ｈをクリックする操作がなされると、配信準備要求手段２１は、携帯端末２毎に固有の端末ＩＤを付与して、ユーザ設定画面７にて設定された内容をユーザ情報として取得し、ユーザ情報を含む配信準備要求をサーバ装置３へ送信する処理を行い、本実施形態では、このユーザ情報に、乗車駅６ｂ、降車駅６ｃ、経由駅６ｄ、移動速度、曜日、時間帯及びジャンルの設定内容が含まれることになる。
【００２７】
携帯端末２のダウンロード手段２２は、携帯端末２として利用されている装置に備えられているＧＰＳ機能（Global Positioning System）を利用して実現される手段で、携帯端末２の現在地に係る位置情報を含むコンテンツ配信要求をサーバ装置３へ送信する処理を、サーバ装置３からコンテンツが配信されるまで一定間隔（例えば、３０秒毎）で行い、コンテンツ配信要求のレスポンスとして、サーバ装置３からコンテンツが配信されると、ダウンロード日時がわかるように、サーバ装置３から配信されたコンテンツをメモリにダウンロードする。
【００２８】
また、携帯端末２のダウンロード手段２２は、メモリにダウンロードされたコンテンツのダウンロード日時を周期的（例えば、１時間毎）に確認し、ダウンロード日時から一定時間（例えば、６時間）が経過したコンテンツをメモリから削除する処理を行う。
【００２９】
また、携帯端末２の再生手段２３は、携帯端末２として利用されている装置に備えられているディスプレイや音声出力回路を利用して実現される手段で、携帯端末２のメモリにコンテンツがダウンロードされると、メモリにダウンロードされているコンテンツの一覧を表示させ、コンテンツが選択されると、選択されたコンテンツをデコードし、該コンテンツに対応する回路に出力する手段である。
【００３０】
次に、図１で図示したコンテンツ配信システム１を構成するサーバ装置３について説明する。本発明においてサーバ装置３とは、ＣＰＵ，メモリ管理やインターフェース管理などの機能を有するチップセット，メインメモリ（ＲＡＭ）、ネットワークインターフェースなどが実装され、ハードディスクに代表される大容量のデータ記憶装置が接続された装置で、サーバ装置３としては汎用のサーバを利用できる。
【００３１】
図４は、サーバ装置３に備えられた機能を説明する図である。図４に図示したように、サーバ装置３は、ネットワーク通信を行うネットワーク通信手段３０と、配信準備要求を携帯端末２から受信すると、配信準備要求に含まれるユーザ情報のジャンルに対応するコンテンツの一覧を記したコンテンツリストを作成した後、作成したコンテンツリストに含まれるコンテンツの総容量から該コンテンツのダウンロード時間を求め、ユーザ情報の移動速度と該ダウンロード時間を乗算することで配信開始距離を算出する配信準備手段３１と、乗車駅毎の位置情報を記憶し、コンテンツ配信要求を携帯端末２から受信すると、コンテンツ配信要求に含まれる位置情報とユーザ情報の乗車駅の位置情報から得られる距離が配信開始距離になると、コンテンツリストに含まれるコンテンツを携帯端末２へ送信する配信手段３２を備えている。
【００３２】
サーバ装置３のネットワーク通信手段３０は、サーバ装置３として利用されている装置に備えられているネットワークインターフェースを利用して実現される手段で、その他の手段については、コンテンツ配信システム１の動作を説明しながら説明する。なお、コンテンツ配信システム１の動作の説明は本発明の方法の説明も兼ねている。
【００３３】
図５は、コンテンツ配信システム１の動作を説明するフロー図である。携帯端末２上にてコンテンツをダウンロードするためのアプリケーションが起動すると、携帯端末２の配信準備要求手段２１が起動し、携帯端末２の配信準備要求手段２１は、図３で図示したユーザ設定画面７を携帯端末２のディスプレイに表示させて、ユーザ５に係る様々な項目をユーザ５に設定させた後、携帯端末２毎に固有の端末ＩＤを付加し、ユーザ５が設定した内容をユーザ情報として含む配信準備要求をサーバ装置３へ送信する（Ｓ１）。
【００３４】
携帯端末２から配信準備要求が送信されると、サーバ装置３の配信準備手段３１が作動し、サーバ装置３の配信準備手段３１は、携帯端末２から受信したユーザ情報に基づくコンテンツリストを作成し、サーバ装置３のコンテンツ作成手段は、該配信準備要求に付加された端末ＩＤを付加してコンテンツリストをデータ記憶装置に記憶する（Ｓ２）。
【００３５】
コンテンツリストを作成すると、サーバ装置３の配信準備手段３１は、作成したコンテンツリストに含まれるコンテンツ毎に、該コンテンツが格納されている場所にアクセスして該コンテンツの容量を取得し、取得した容量の総和を求めることで、コンテンツリストに含まれるコンテンツの総容量を算出する（Ｓ３）。なお、コンテンツが格納されている場所は、サーバ装置３と接続しているデータ記憶装置でもよく、ネットワーク上のサーバで公開されているコンテンツであってもよい。
【００３６】
コンテンツリストに含まれるコンテンツの総容量を算出すると、サーバ装置３の配信準備手段３１は、携帯端末２の無線通信速度を考慮して、コンテンツリストに含まれるコンテンツの総容量から、コンテンツリストに含まれるコンテンツ全てをダウンロードするのに必要なダウンロード時間を算出する（Ｓ４）。
【００３７】
コンテンツリストに含まれるコンテンツ全てをダウンロードするのに必要なダウンロード時間を算出すると、サーバ装置３の配信準備手段３１は、コンテンツリストの基になったユーザ情報の移動速度に該ダウンロード時間を乗算することで上述している配信開始距離を算出し、配信準備要求に付加された端末ＩＤを付加して配信開始距離をデータ記憶装置に記憶した後、ネットワーク通信手段３０を利用して配信準備要求のレスポンスを携帯端末２へ送信する（Ｓ５）。
【００３８】
配信準備要求のレスポンスをサーバ装置３から受信すると、携帯端末２のダウンロード手段２２が作動し、携帯端末２のダウンロード手段２２は、携帯端末２の端末ＩＤを付加して、携帯端末２の現在地に係る位置情報を含むコンテンツ配信要求をサーバ装置３へ送信する（Ｓ６）。
【００３９】
携帯端末２からコンテンツ配信要求が送信されると、サーバ装置３の配信手段３２が作動し、配信手段３２は、携帯端末２から送信されたコンテンツ配信要求に付加されている端末ＩＤに対応する配信開始距離を取得した後、該コンテンツ配信要求に含まれる位置情報と、該端末ＩＤが付加されているユーザ情報の乗車駅６ｂの位置情報から得られる距離が該配信開始距離であるか判定し（Ｓ７）、配信開始距離でなければ、ネットワーク通信手段３０を利用しコンテンツ配信要求のレスポンスとしてエラーを携帯端末２へ送信し、配信開始距離であれば、ネットワーク通信手段３０を利用しコンテンツ配信要求のレスポンスとして、該端末ＩＤに対応するコンテンツリストに含まれるコンテンツの配信を開始する（Ｓ８）。
【００４０】
携帯端末のダウンロード手段２２は、コンテンツ配信要求のレスポンスとしてエラーを受信すると、Ｓ６に戻り、一定間隔が経過した後に、携帯端末２の現在地に係る位置情報を含むコンテンツ配信要求をサーバ装置３へ送信する処理を行い、コンテンツ配信要求のレスポンスとして、コンテンツが配信されると、ダウンロードが完了した日時が付加された状態で、サーバ装置３から送信されたコンテンツをメモリにダウンロードする（Ｓ９）。
【００４１】
コンテンツがメモリにダウンロードされると、携帯端末２の再生手段２３が起動し、携帯端末２の再生手段２３は、記憶手段にダウンロードされているコンテンツの一覧をディスプレイに表示させ、操作パネルを利用してコンテンツが選択されると、選択されたコンテンツをデコードし、該コンテンツのファイル形式に対応する回路に出力して（Ｓ１０）、この手順は終了する。
【００４２】
このように、本実施形態のコンテンツ配信システム１によれば、携帯端末２にダウンロードされるコンテンツは、サーバ装置３の配信準備手段３１が作成したコンテンツリストに含まれるコンテンツになり、サーバ装置３の配信準備手段３１がコンテンツリストを作成する内容は、ユーザ情報に含まれる項目によって決定される。
【００４３】
図３で図示したユーザ設定画面を例に取れば、乗車駅６ｂ、降車駅６ｃ、経由駅６ｄ、移動速度、曜日、時間帯及びジャンルに係る設定内容がユーザ情報に含まれ、ユーザ情報に含まれるジャンルは、サーバ装置３の配信準備手段３１がコンテンツリストを作成する際、コンテンツリストに含ませるコンテンツのジャンルを決定するために利用できる。
【００４４】
例えば、図３で図示したユーザ設定画面において、ニュース、天気及び運行情報がジャンルとして設定されている場合、コンテンツリストに含ませるコンテンツのジャンルは、ニュース、天気及び運行情報に限定される。
【００４５】
また、ユーザ情報に含まれる乗車駅６ｂ、降車駅６ｃ及び経由駅６ｄは、サーバ装置３の配信準備手段３１がコンテンツリストを作成する際、ユーザ情報に含まれるジャンルに対応するコンテンツ中から、携帯端末２に配信するコンテンツを絞り込むために利用できる。例えば、コンテンツのジャンルとして天気が選択されている場合、携帯端末２に送信する天気を降車駅（ここでは、池袋）がある地域（ここでは、豊島区）の天気にする。また、コンテンツのジャンルとして運行情報が選択されている場合、携帯端末２に送信する運行情報を、乗車駅、降車駅及び経由駅で一意に決まる路線（ここでは、京浜東北線と山手線）の運行情報にする。
【００４６】
更に、ユーザ情報に含まれる曜日・時間帯は、サーバ装置３の配信準備手段３１がコンテンツリストを作成する際、携帯端末２に配信するコンテンツの種類を決定するために利用できる。サーバ装置３の配信準備手段３１は、ユーザ情報の曜日・時間帯から列車の混み具合を判定するルールを記憶し、ユーザ情報の曜日・時間帯に基づく判定結果により、例えば、ユーザ情報に含まれる曜日・時間帯から、列車が混雑していると判定したときは、携帯端末２に送信するコンテンツの種類を音声にし、それ以外のときは、携帯端末２に送信するコンテンツを動画にする。
【符号の説明】
【００４７】
１    コンテンツ配信システム
２    携帯端末
２０  無線通信手段
２１  配信準備要求手段
２２  ダウンロード手段
２３  再生手段
３    サーバ装置
３０  ネットワーク通信手段
３１  配信準備手段
３２  配信手段
【図１】
0005673943.tif 000002
【図２】
0005673943.tif 000003
【図３】
0005673943.tif 000004
【図４】
0005673943.tif 000005
【図５】
0005673943.tif 000006